(57)【要約】【課題】  光ファイバケーブルによって相互に接続されたマスタノードと複数のスレーブノードとを備える光ＬＡＮ装置において、各スレーブノードに備えられた負荷装置の状態をマスタノードにて好適に監視すること。【解決手段】  リング型光ＬＡＮ装置は、光ファイバケーブル３によって相互に接続されたマスタノード１と複数のスレーブノード２とを備えている。マスタノード１は、スレーブノード２の各々に対応する指令信号を、ネットワーク上に送出する。各スレーブノード２は、対応する指令信号をネットワークから受け取ったとき、対応する負荷装置２２を流れる電流の値に基づく検出結果情報を前記指令信号に付加して、同指令信号を返信信号としてネットワーク上に送出する。マスタノード１は、ネットワークから受け取った返信信号中の検出結果情報に基づき、スレーブノード２における負荷装置２２の状態を把握する。【選択図】      図１
2005293101.tif 000002
【特許請求の範囲】
【請求項１】
ネットワークを形成するように光ファイバケーブルによって相互に接続されたマスタノードと複数のスレーブノードとを備え、各スレーブノードは負荷装置を有し、各スレーブノードがマスタノードからの指令に応じて対応する負荷装置を駆動する光ＬＡＮ装置において、
前記マスタノードは、前記スレーブノードの各々に対応する指令信号を前記ネットワーク上に送出するマスタコントローラを備え、
前記各スレーブノードは、対応する負荷装置の状態を検出する状態検出部と、対応する指令信号を前記ネットワークから受け取ったとき、前記状態検出部にて検出された状態に基づく検出結果情報を前記指令信号に付加して、同指令信号を前記マスタノードに対する返信信号として前記ネットワーク上に送出するスレーブコントローラとを備え、
前記マスタコントローラは、前記ネットワークから受け取った前記返信信号中の検出結果情報に基づき、同返信信号に対応するスレーブノードにおける負荷装置の状態を把握することを特徴とする光ＬＡＮ装置。
【請求項２】
前記負荷装置は電気によって駆動される電気負荷装置であり、前記状態検出部は電気負荷装置を流れる電流の値を検出する電流検出部であることを特徴とする請求項１に記載の光ＬＡＮ装置。
【請求項３】
前記スレーブコントローラは、前記電流検出部にて検出された電流値に基づき、対応する電気負荷装置が過電流、断線及び正常のうちの何れの状態であるかを判定し、そして判定された状態を示す情報を前記検出結果情報として前記指令信号に付加することを特徴とする請求項２に記載の光ＬＡＮ装置。
【請求項４】
前記スレーブコントローラは、前記電流検出部にて検出された電流値を所定の閾値と比較することによって、対応する電気負荷装置の状態を判定することを特徴とする請求項２又は３に記載の光ＬＡＮ装置。
【請求項５】
前記スレーブコントローラは、前記電流検出部にて検出された電流値が前記閾値以上である場合には、対応する電気負荷装置への電流供給を遮断することを特徴とする請求項４に記載の光ＬＡＮ装置。
【請求項６】
前記指令信号は前記閾値を示す情報を含み、前記スレーブコントローラは、前記電流検出部にて検出された電流値を前記指令信号に含まれる閾値と比較することを特徴とする請求項４又は５に記載の光ＬＡＮ装置。
【発明の詳細な説明】
【技術分野】
【０００１】
本発明は、ネットワークを形成するように光ファイバケーブルによって相互に接続されたマスタノードと複数のスレーブノードとを備える光ＬＡＮ装置に関し、特には各スレーブノードに備えられた負荷装置の状態を監視するための技術にする。
【背景技術】
【０００２】
近年、車両の電子化が進み、車両に搭載されるモータ等の電気負荷装置（電装品）の数は増大する一方である。一般的な車両では、多数の負荷装置が制御装置に対して、比較的重量の大きい金属製の電線によって接続されている。しかし、車両に搭載される負荷装置の増大に伴い、使用される電線の総量も増大し、同電線の総重量が無視できないものとなってきている。また、車両の電子化が進むに従い、電線中を通過する制御信号に混入する電磁ノイズの問題が増大しているとともに、負荷装置の高速な制御処理の実現のためには電線の使用では限界があった。
【０００３】
そこで、近年では、金属製の電線に代えて光ファイバケーブルで制御装置と複数の負荷装置とを相互に接続して、車載光ＬＡＮ装置を構築することが提案されている。この場合、スレーブノードとして機能する各負荷装置が適正に動作しているか否かを、マスタノードとして機能する制御装置にて監視するようにすることが好ましい。但し、車両への光ファイバケーブルの適用は未だ始まったばかりであり、そのような監視技術について開示した文献は多くはない。
【０００４】
例えば、特許文献１には、マスタノードと複数のスレーブノードとを備える光ＬＡＮ装置が開示されている。この特許文献１では、光ＬＡＮ装置としてリング型光ＬＡＮ装置が適用され、複数のスレーブノードのうちの一部が故障した場合にも、ネットワーク全体をダウンさせないようにする技術が開示されている。
【０００５】
しかし、上記特許文献１は、単に一般的な光ＬＡＮ装置を開示するものであり、車両に搭載される各種の負荷装置を制御するのに適した光ＬＡＮ装置を開示するものではない。
一方、特許文献２には、車両の電動パワーステアリング装置において、モータ及びコントロールユニットの温度を検出することによって、モータ及びコントロールユニットの過熱保護を図るようにした技術が開示されている。また、この特許文献２には、電動パワーステアリング装置におけるモータを流れる電流の値を検出して、検出された電流値に基づきモータを流れる電流を制限することも記載されている。
【０００６】
しかし、上記特許文献２は、単に電動パワーステアリング装置のモータをコントロールユニットで制御する技術を開示するものであり、車載ＬＡＮ装置を開示するものではなく、また光ファイバケーブルを利用した光ＬＡＮ装置を開示するものでもない。
【特許文献１】特開平１１−３１３０９８号公報
【特許文献２】特開平１１−２８６２７８号公報
【発明の開示】
【発明が解決しようとする課題】
【０００７】
本発明の目的は、ネットワークを形成するように光ファイバケーブルによって相互に接続されたマスタノードと複数のスレーブノードとを備える光ＬＡＮ装置において、各スレーブノードに備えられた負荷装置の状態をマスタノードにて好適に監視することにある。
【課題を解決するための手段】
【０００８】
上記の目的を達成するために、本願発明は、ネットワークを形成するように光ファイバケーブルによって相互に接続されたマスタノードと複数のスレーブノードとを備え、各スレーブノードは負荷装置を有し、各スレーブノードがマスタノードからの指令に応じて対応する負荷装置を駆動する光ＬＡＮ装置を提供する。前記マスタノードは、前記スレーブノードの各々に対応する指令信号を前記ネットワーク上に送出するマスタコントローラを備える。前記各スレーブノードは、対応する負荷装置の状態を検出する状態検出部と、対応する指令信号を前記ネットワークから受け取ったとき、前記状態検出部にて検出された状態に基づく検出結果情報を前記指令信号に付加して、同指令信号を前記マスタノードに対する返信信号として前記ネットワーク上に送出するスレーブコントローラとを備える。前記マスタコントローラは、前記ネットワークから受け取った前記返信信号中の検出結果情報に基づき、同返信信号に対応するスレーブノードにおける負荷装置の状態を把握する。
【０００９】
好適な例では、前記負荷装置は電気によって駆動される電気負荷装置であり、前記状態検出部は電気負荷装置を流れる電流の値を検出する電流検出部である。
この場合、好ましくは、前記スレーブコントローラは、前記電流検出部にて検出された電流値に基づき、対応する電気負荷装置が過電流、断線及び正常のうちの何れの状態であるかを判定し、そして判定された状態を示す情報を前記検出結果情報として前記指令信号に付加する。
【００１０】
前記スレーブコントローラは、前記電流検出部にて検出された電流値を所定の閾値と比較することによって、対応する電気負荷装置の状態を判定するようにしてもよい。
好適な例では、前記スレーブコントローラは、前記電流検出部にて検出された電流値が前記閾値以上である場合には、対応する電気負荷装置への電流供給を遮断する。
【００１１】
前記指令信号は前記閾値を示す情報を含むのが好ましい。この場合、前記スレーブコントローラは、前記電流検出部にて検出された電流値を前記指令信号に含まれる閾値と比較する。
【発明の効果】
【００１２】
本発明によれば、マスタノードは、各スレーブノードに備えられた負荷装置の状態を好適に監視することができる。
【発明を実施するための最良の形態】
【００１３】
以下に、本発明を具体化した一実施形態について、図面を参照して説明する。
図１に示す本実施形態の光ＬＡＮ装置はリング型光ＬＡＮ装置であり、車両に対して好適に適用することができる。このリング型光ＬＡＮ装置は、マスタノード１と、第１〜第ｎスレーブノード２-1〜２-nを含む複数のスレーブノード２とを備えている。マスタノード１及びスレーブノード２は、リング型ネットワークを形成するように、光ファイバケーブル３によって相互に接続されている。
【００１４】
前記マスタノード１は、例えば車両のインスツルメントパネル（図示せず）内に配置されている。マスタノード１は、マイクロコンピュータ等よりなるコントローラ（マスタコントローラ）１１を備えている。マスタコントローラ１１は、例えば、中央処理装置（ＣＰＵ）、リードオンリメモリ（ＲＯＭ）及びランダムアクセスメモリ（ＲＡＭ）を含んでいる。マスタコントローラ１１には報知器としてのディスプレイ１２が接続され、このディスプレイ１２は車両の運転者に視認可能なようにインスツルメントパネル上に露出している。マスタコントローラ１１は、スレーブノード２の各々の状態を、必要に応じてディスプレイ１２上に文字や記号等で表示させる。なお、ディスプレイ１２に代えて、スレーブノード２の数に対応する数の表示ランプを報知器として設けてもよい。この場合、マスタコントローラ１１は、これら表示ランプを点灯或いは点滅させることにより、対応するスレーブノード２の状態を運転者に報知する。
【００１５】
前記マスタコントローラ１１には、Ｅ／Ｏ変換器（電気／光変換器）１３及びＯ／Ｅ変換器（光／電気変換器）１４が電線を介して接続されている。Ｅ／Ｏ変換器１３は、マスタコントローラ１１から出力される電気信号を電線を通じて受け取るとともに、受け取った電気信号を光信号に変換して、その光信号を同Ｅ／Ｏ変換器１３に接続された光ファイバケーブル３上に送出する。Ｏ／Ｅ変換器１４は、同Ｏ／Ｅ変換器１４に接続された光ファイバケーブル３から受け取った光信号を電気信号に変換して、その電気信号を電線を通じてマスタコントローラ１１に送出する。
【００１６】
前記スレーブノード２は車両の各部に配置され、それぞれ電気によって駆動される負荷装置２２、すなわち電気負荷装置（車載電装品）を備えている。負荷装置２２は、モータやランプ等を始めとする各種の電気アクチュエータである。各スレーブノード２は、前記マスタノード１からの指令に応じて、対応する負荷装置２２を駆動する。各スレーブノード２には、予め固有のアドレスが割り当てられている。
【００１７】
各スレーブノード２は、マイクロコンピュータ等よりなるコントローラ（スレーブコントローラ）２１を備えている。スレーブコントローラ２１は、例えば、中央処理装置（ＣＰＵ）、リードオンリメモリ（ＲＯＭ）及びランダムアクセスメモリ（ＲＡＭ）を含んでいる。スレーブコントローラ２１には、Ｅ／Ｏ変換器（電気／光変換器）２３及びＯ／Ｅ変換器（光／電気変換器）２４が電線を介して接続されている。Ｅ／Ｏ変換器２３は、スレーブコントローラ２１から出力される電気信号を電線を通じて受け取るとともに、受け取った電気信号を光信号に変換して、その光信号を同Ｅ／Ｏ変換器２３に接続された光ファイバケーブル３上に送出する。Ｏ／Ｅ変換器２４は、同Ｏ／Ｅ変換器２４に接続された光ファイバケーブル３から受け取った光信号を電気信号に変換して、その電気信号を電線を通じてスレーブコントローラ２１に送出する。
【００１８】
前記負荷装置２２は、ドライバ（駆動回路）２５を介して対応するスレーブコントローラ２１に接続されている。スレーブコントローラ２１は、ドライバ２５を制御することにより、対応する負荷装置２２を駆動する。電流検出部としての電流センサ２６は、ドライバ２５から負荷装置２２に供給される電流の値、すなわち負荷装置２２を流れる電流の値を検出して、検出された電流値を示す信号を対応するスレーブコントローラ２１に出力する。電流センサ２６としては公知のものを使用することができ、例えばシャント抵抗及び信号増幅器を含んで構成されたものを好適に使用することができる。
【００１９】
上記光ＬＡＮ装置においては、アクセス制御方式としてトークンパッシング方式が採用されている。マスタノード１は、信号の受け取り先となるべきスレーブノード２のアドレス情報と各種の指令情報とを含むトークン信号を、指令信号としてネットワーク上に、すなわち光ファイバケーブル３によって構成される光伝送路上に送出する。マスタノード１から光伝送路上に送出された指令信号は、先ず第１スレーブノード２-1で受け取られる。第１スレーブノード２-1は、指令信号中に含まれるアドレスが自身に割り当てられたアドレスと一致する場合には、同指令信号中に含まれる指令情報に従った動作を行う。また、第１スレーブノード２-1は、前記電流センサ２６にて検出された電流値に基づき、対応する負荷装置２２の作動状態を示す検出結果情報を得るとともに、その検出結果情報を前記指令信号に付加して、同指令信号を前記マスタノード１に対する返信信号としてネットワーク上に送出する。一方、第１スレーブノード２-1は、指令信号中に含まれるアドレスが自身に割り当てられたアドレスと異なる場合には、同指令信号をそのままネットワーク上に送出する。
【００２０】
第１スレーブノード２-1からネットワーク上に送出されたトークン信号（返信信号又は指令信号）は、次に第２スレーブノード２-2で受け取られる。第２スレーブノード２-2は、受け取ったトークン信号に従い前述した第１スレーブノード２-1と同様な動作を行い、トークン信号を次のスレーブノード２に引き渡す。このようにして、マスタノード１から指令信号として送出されたトークン信号が、第１スレーブノード２-1から第ｎスレーブノード２-nにまで順次引き渡されていく。そして、最終段の第ｎスレーブノード２-ｎからネットワーク上に送出されたトークン信号が、マスタノード１にて返信信号として受け取られる。マスタノード１は、ネットワークから受け取った返信信号中の検出結果情報に基づき、同返信信号に対応するスレーブノード２における負荷装置２２の作動状態を把握する。
【００２１】
図２は、マスタノード１及び複数のスレーブノード２を含むネットワーク上を巡回する前記トークン信号を例示するものである。トークン信号は、アドレスデータと、制御データと、検出結果データとを含む。前記アドレスデータは、トークン信号の受け取り先となるスレーブノード２のアドレスを示す情報である。前記制御データは、スレーブノード２に対する指令内容を示す情報であり、作動指令データ及び閾値データを含む。前記作動指令データは、負荷装置２２の作動に関する指令内容を示す情報であり、例えば駆動指令又は停止指令を示す情報、並びに出力上昇指令又は出力低下指令を示す情報を含む。前記閾値データは、負荷装置２２を流れる電流に関する閾値を示す情報である。各スレーブノード２は、電流センサ２６によって検出された電流値をこの閾値と比較することによって、対応する負荷装置２２の負荷状態を判定する。
【００２２】
前記検出結果データは、スレーブノード２で得られる前記検出結果情報、すなわち前記電流センサ２６による検出結果を示す情報である。本実施形態において、この検出結果データは、負荷装置２２の状態として、過電流状態、断線状態及び正常状態のうちの何れかの状態を示す。
【００２３】
マスタノード１は、前記アドレスデータと前記制御データとを含むトークン信号を、前記指令信号としてネットワーク上に送出する。各スレーブノード２は、指令信号中に含まれるアドレスが自身に割り当てられたアドレスと一致する場合に、前記検出結果データを前記指令信号に付加して、同指令信号を前記マスタノード１に対する返信信号としてネットワーク上に送出する。
【００２４】
前記アドレスデータ、制御データ及び検出結果データは、何れも複数ビットの２値コード信号よりなり、光ファイバケーブル３上においてはＥ／Ｏ変換器１３，２３にて生成される光信号のオン／オフによるビット列として表される。本実施形態においては、図２に示すように、“０”のビットコードは、１周期分の対称方形波信号、すなわちオン信号とオフ信号との組み合わせによって構成される。“１”のビットコードは、前記対称方形波信号の１周期分の期間に相当するオン信号又はオフ信号によって構成される。
【００２５】
図２の例では、アドレスデータが４ビットデータとして示され、制御データ中の作動指令データが２ビットデータとして示され、制御データ中の閾値データが４ビットデータとして示され、検出結果データが２ビットデータとして示されている。よって、アドレスデータは最大１６個のアドレスを表すことができ、作動指令データは最大４つの指令内容を表すことができ、閾値データは最大１６個の閾値を表すことができ、検出結果データは最大４つの検出結果を表すことができる。勿論、必要に応じて各データのビット数を変更しても構わない。
【００２６】
なお、アドレスデータと制御データと検出結果データとを明確に区別できるよう、アドレスデータの末尾及び制御データの末尾には、所定のオフ期間（休止期間）が与えられている。
【００２７】
次に、前記マスタノード１の動作について、図３のフローチャートに従って説明する。
ステップＳ１０１において、マスタコントローラ１１は、指令信号をＥ／Ｏ変換器１３を介してネットワーク上に送出する。この指令信号は、同指令信号の受け取り先となるべきスレーブノード２のアドレスを示すアドレスデータと、当該スレーブノード２に対する指令内容を示す制御データとを含む。
【００２８】
ステップＳ１０２において、マスタコントローラ１１は、送出された指令信号に対応する返信信号が、ネットワークからＯ／Ｅ変換器１４を介して受信されるのを待つ。返信信号が受信された場合、マスタコントローラ１１はステップＳ１０３に進んで、返信信号中に含まれる検出結果データに応じた処理を実行し、処理を一旦終了する。すなわち、マスタコントローラ１１は、返信信号中に含まれる検出結果データに基づき、同返信信号に対応するスレーブノード２における負荷装置２２が、断線状態、過電流状態及び正常状態の何れであるのかを把握する。そして、マスタコントローラ１１は、その負荷装置２２が過電流状態或いは断線状態である場合には、その旨を示す情報をディスプレイ１２上に表示させる。
【００２９】
マスタコントローラ１１は、上記の処理を、複数のスレーブノード２について順次実行する。なお、マスタコントローラ１１は、同じスレーブノード２宛てに次の指令信号を送出する際には、前回の返信信号から把握される負荷装置２２の状態に基づき、或いはそれ以外の要因に基づき、指令信号中における作動指令データによって、負荷装置２２の出力低下或いは出力上昇を指令してもよい。
【００３０】
次に、前記各スレーブノード２の動作について、図４のフローチャートに従って説明する。
ステップＳ２０１において、スレーブコントローラ２１は、ネットワークからＯ／Ｅ変換器２４を介して指令信号が受信されるのを待つ。指令信号が受信された場合、スレーブコントローラ２１はステップＳ２０２に進んで、指令信号中のアドレスデータによって示されるアドレスが、自身に割り当てられたアドレスと一致するか否かを判定する。両アドレスが一致しない場合、スレーブコントローラ２１はステップＳ２０３に進んで、受信された指令信号に検出結果データを付加することなく、同指令信号をそのままＥ／Ｏ変換器２３を介してネットワーク上に送出し、処理を一旦終了する。一方、両アドレスが一致する場合、スレーブコントローラ２１は、ステップＳ２０４に進む。
【００３１】
ステップＳ２０４において、スレーブコントローラ２１は、指令信号中の作動指令データによって示される指令内容が、負荷装置２２の駆動指令であるか否かを判定する。指令内容が駆動指令でない場合、すなわち負荷装置２２の停止指令である場合、スレーブコントローラ２１はステップＳ２０５に進んで、対応する負荷装置２２を停止させるようにドライバ２５を制御する。続くステップＳ２０６において、スレーブコントローラ２１は、返信信号をＥ／Ｏ変換器２３を介してネットワーク上に送出し、処理を一旦終了する。この際、負荷装置２２の停止を示す情報を検出結果データとして前記指令信号に付加し、検出結果データが付加された指令信号を返信信号として送出するようにしてもよい。
【００３２】
一方、前記ステップＳ２０４において指令内容が駆動指令である場合、スレーブコントローラ２１はステップＳ２０７に進んで、対応する負荷装置２２を駆動させるようにドライバ２５を制御する。続くステップＳ２０８において、スレーブコントローラ２１は、指令信号中の作動指令データによって示される指令内容に、負荷装置２２の出力変更指令（出力上昇指令又は出力低下指令）が含まれているか否かを判定する。指令内容に出力変更指令が含まれている場合には、スレーブコントローラ２１はステップＳ２０９に進んで、対応する負荷装置２２の出力を変更（上昇又は低下）させるようにドライバ２５を制御し、ステップステップＳ２１０に進む。一方、指令内容に出力変更指令が含まれていない場合には、スレーブコントローラ２１は、ステップＳ２０９の処理を行うことなくステップＳ２１０に進む。
【００３３】
ステップＳ２１０では、スレーブコントローラ２１は、電流センサ２６を通じて、対応する負荷装置２２を流れる電流の値Ｅを検出する。続くステップＳ２１１において、スレーブコントローラ２１は、検出された電流値Ｅがゼロであるか否かを判定する。電流値Ｅがゼロである場合、すなわち負荷装置２２に電流が流れていない場合には、スレーブコントローラ２１は、負荷装置２２が断線状態であると判定して、ステップＳ２１２に進む。ステップＳ２１２では、スレーブコントローラ２１は、断線を示す情報を検出結果データとして前記指令信号に付加し、その後ステップＳ２１７に進む。
【００３４】
一方、検出された電流値Ｅがゼロでない場合には、スレーブコントローラ２１はステップＳ２１３に進んで、電流値Ｅが、指令信号中の閾値データによって示される閾値Ｅｔ以上であるか否かを判定する。電流値Ｅが閾値Ｅｔ以上である場合には、スレーブコントローラ２１は、負荷装置２２が過電流状態であると判定して、すなわち負荷装置２２が過負荷状態であると判定して、ステップＳ２１４に進む。ステップＳ２１４では、スレーブコントローラ２１は、過電流を示す情報を検出結果データとして前記指令信号に付加する。続くステップＳ２１５では、スレーブコントローラ２１は、負荷装置２２を停止させるように、すなわち負荷装置２２に対する電流供給を遮断するようにドライバ２５を制御し、その後ステップＳ２１７に進む。
【００３５】
一方、検出された電流値Ｅが閾値Ｅｔよりも小さい場合、スレーブコントローラ２１は、負荷装置２２が正常に動作していると判定して、ステップＳ２１６に進む。ステップＳ２１６では、スレーブコントローラ２１は、正常を示す情報を検出結果データとして前記指令信号に付加し、その後ステップＳ２１７に進む。
【００３６】
ステップＳ２１７では、スレーブコントローラ２１は、検出結果データが付加された指令信号を、マスタノード１に対する返信信号として、Ｅ／Ｏ変換器２３を介してネットワーク上に送出し、処理を一旦終了する。
【００３７】
以上詳述した本実施形態は、下記の利点を有する。
（１）各スレーブノード２は、対応する負荷装置２２を流れる電流の値を検出する。そして、各スレーブノード２は、自身宛の指令信号をネットワークを通じてマスタノード１から受け取ったときには、検出された電流値に基づく検出結果データを前記指令信号に付加して、同指令信号をマスタノード１に対する返信信号としてネットワーク上に送出する。そして、マスタノード１は、ネットワークから受け取った前記返信信号中の検出結果データに基づき、同返信信号に対応するスレーブノード２における負荷装置２２の状態を把握する。よって、マスタノード１は、各スレーブノード２に備えられた負荷装置の状態を常に好適に監視することができ、各スレーブノード２で発生した異常を早期に確実に把握することができる。
【００３８】
（２）スレーブノード２は、検出された電流値に基づき、対応する負荷装置２２が過電流、断線及び正常の３つの状態の何れであるかを判定し、そして判定された状態を示す情報を検出結果データとして指令信号に付加する。よって、検出結果データとしては、３つの状態を表すことのできる２ビット分のデータで済み、ネットワーク上を伝送されるデータの長さを極力削減できる。これは、安定した確実なネットワーク通信を行う上で有用である。
【００３９】
（３）スレーブノード２は、検出された電流値を所定の閾値と比較することによって、対応する負荷装置２２の状態を判定する。よって、負荷装置２２の状態を簡便に判定することができる。
【００４０】
（４）スレーブノード２は、検出された電流値が閾値以上である場合には、対応する負荷装置２２への電流供給を遮断する。よって、異常動作している負荷装置２２を早期に停止することができ、負荷装置２２が故障するのを抑制することができる。
【００４１】
（５）スレーブノード２は、マスタノード１からの指令信号中に含まれる閾値データに従って前記閾値を設定する。よって、スレーブノード２は、閾値に関するデータを自身で保有しておく必要がない。また、マスタノード１は、４ビットデータよりなる閾値データによって、スレーブノード２の各々に対して、それぞれ適した閾値を設定することができるとともに、１つのスレーブノード２に対する閾値も自在に変更することが可能である。よって、装置の使用条件等に応じて、常に最適な閾値をスレーブノード２の各々に対して可変設定することができ、スレーブノード２の状態を一層好適に監視することができる。
【００４２】
なお、前記実施形態は、次のように変更して具体化することも可能である。
状態検出部として、前記電流センサ２６に代えて或いは加えて、負荷装置２２の温度を検出する温度センサを設けてもよい。そして、温度センサによって検出された負荷装置２２の温度に基づき、負荷装置２２の状態を判定するようにしてもよい。
【００４３】
本発明の光ＬＡＮ装置を、車両以外に適用することも可能である。
本発明の光ＬＡＮ装置は、リング型光ＬＡＮ装置に限らず、バス型光ＬＡＮ装置等、各種の形態の光ＬＡＮ装置に適用することも可能である。
【００４４】
上記実施形態から把握される技術的思想について、以下に記載する。
（１）前記マスタコントローラは、把握された負荷装置の状態を報知する報知器を備えることを特徴とする請求項１〜６の何れか一項に記載の光ＬＡＮ装置。
【図面の簡単な説明】
【００４５】
【図１】本発明の一実施形態における光ＬＡＮ装置を示す概略構成図。
【図２】ネットワーク上を巡回するトークン信号を例示する説明図。
【図３】マスタノードの動作を説明するためのフローチャート。
【図４】スレーブノードの動作を説明するためのフローチャート。
【符号の説明】
【００４６】
１…マスタノード、２…スレーブノード、３…光ファイバケーブル、１１…マスタコントローラ、２１…スレーブコントローラ、２２…負荷装置、２６…電流センサ。
【図１】
2005293101.tif 000003
【図２】
2005293101.tif 000004
【図３】
2005293101.tif 000005
【図４】
2005293101.tif 000006